(57)【要約】【課題】ＬＥＤ調光時のちらつきによる誤動作を防止できる誤動作防止回路を提供すること。【解決手段】点灯回路５は、調光時誤動作防止回路５４を備えており、調光器８２の出力電圧が所定値以上の場合、ＺＤ１がオンし、ＩＣ１のＳ１端子が接地されると、Ｓ２端子から所定のデューティー比のパルス信号を出力してトランジスタＱ１をスイッチングさせる。これによりトランスＴの二次巻線Ｔ２からＬＥＤ点灯のための電力が発生しＬＥＤが点灯する。一方、調光器８２の出力電圧が所定値よりも低くなるとＺＤ１がオフし、これによりＩＣ１のＳ１端子に三次巻線Ｔ３の出力電圧が印加されると、Ｓ２端子からのパルス信号の出力を停止してトランジスタＱ１のスイッチングを停止させる。これによりトランスＴの二次巻線Ｔ２の出力が停止しＬＥＤが消灯する。【選択図】  図２
2005011739.tif 000002
【特許請求の範囲】
【請求項１】
外部の調光器からの出力を制御するスイッチ素子と、一次側に前記スイッチ素子により制御された出力が入力されると、これを変圧して二次側に接続される外部の発光素子に出力すると共に、所定の巻線部から前記スイッチ素子の作動用出力を発生する出力トランスと、を有する前記発光素子の点灯回路内に設けられる調光時誤動作防止回路において、
前記調光器の出力値が所定値よりも低いか否かを検出する検出回路と、
前記検出回路により前記調光器の出力値が所定値よりも低いことが検出されると、前記作動用出力を制御することにより前記スイッチ素子の動作を制御して、前記出力トランスの出力を停止または低下させる制御回路と、
を備えることを特徴とする調光時誤動作防止回路。
【請求項２】
発光素子と、外部の調光器からの出力を前記発光素子を点灯させるための電力に変換して出力する点灯回路とを備える照明装置であって、
前記点灯回路は、
前記調光器からの出力を制御するスイッチ素子と、
入力側に前記スイッチ素子により制御された出力が入力されると、これを変圧して二次側に接続される前記発光素子に出力すると共に、所定の巻線部から前記スイッチ素子の作動用出力を発生する出力トランスと、
前記調光器の出力値が所定値よりも低いか否かを検出する検出回路と、
前記検出回路により前記調光器の出力値が所定値よりも低いことが検出されると、前記作動用出力を制御することにより前記スイッチ素子の動作を制御して、前記出力トランスの出力を停止または低下させる制御回路と、
を備えることを特徴とする照明装置。
【請求項３】
前記制御回路は、
前記出力トランスからの出力を停止させる場合には、前記スイッチ素子の動作を停止させることを特徴とする請求項２に記載の照明装置。
【請求項４】
前記制御回路は、
前記出力トランスからの出力を低下させる場合には、前記発光素子に動作電圧よりも小さい電圧が印加されて前記発光素子が消灯状態になるように、前記スイッチ素子の動作を制御することを特徴とする請求項２に記載の照明装置。
【請求項５】
前記発光素子が発光ダイオードであることを特徴とする請求項２乃至４のいずれかに記載の照明装置。
【請求項６】
発光素子と、外部の調光器からの出力を前記発光素子を点灯させるための電力に変換して出力する点灯回路とを備える照明装置であって、
前記点灯回路は、
前記調光器の出力値が所定値よりも低いか否かを検出する検出回路と、
前記検出回路により前記調光器の出力値が所定値よりも低いことが検出されると、前記発光素子が消灯状態になるまで前記発光素子への出力を低下させる制御回路と、
を含むことを特徴とする照明装置。
【発明の詳細な説明】
【０００１】
【発明の属する技術分野】
本発明は、発光素子の調光時に誤動作を防止できる調光時誤動作防止回路および照明装置に関する。
【０００２】
【従来の技術】
従来、トライアック等の制御素子を用いた調光器により商用交流電源の導通角を制御することにより、白熱電球等を調光するシステムが普及している。このシステムを用いれば、ユーザーは、調光器のつまみを回す等といった簡易な操作で室内の明るさを好みの明るさに調節することができる。
【０００３】
ところで、近年、発光ダイオード（以下、「ＬＥＤ」という。）が高照度化、量産による低コスト化等に伴い、一般照明に用いるものとしても注目されており、例えば特許文献１には、多数のＬＥＤを備える照明器具が提案されている。
このような照明器具では、ＬＥＤを点灯させるため、商用交流電源を全波整流した後、平滑用コンデンサにより平滑し、平滑された直流電圧をＬＥＤに供給する点灯回路が備えられている。
【０００４】
【特許文献１】
特開２００１−３５２３９号公報
【０００５】
【発明が解決しようとする課題】
しかしながら、上記従来のＬＥＤ照明器具を上記調光システムに接続すると、調光に伴ってＬＥＤのちらつきが発生するという問題がある。
すなわち、調光器の導通角制御により、調光器からＬＥＤ照明器具に流入される電流のオフ時間が長くなると、平滑コンデンサの充電量が少なくなって平滑が十分に行われなくなり、その分リップル電圧が大きくなって、リップルによる電圧変動に従いＬＥＤが明るくなったり暗くなったりしてちらつきが生じるものである。
【０００６】
白熱電球の場合、調光器の導通角制御によりオフ時間が長くなってもフィラメントが徐々に暗くなって行くので人の目にはちらつきと感じるまでには至らないが、ＬＥＤは、応答時間（電流が流れてから発光するまでの時間）が極めて短いため、人の目にはちらつきと映ってしまうのである。
したがって、ユーザーが調光器のつまみを明から暗に向けて回して行くと、あるところでＬＥＤにちらつきが発生し、ユーザーに不快感を与えることになってしまう。
【０００７】
本発明は、このような問題点に鑑みてなされたものであって、調光器と接続された場合に、ＬＥＤ等の発光素子のちらつきによる誤動作を防止できる調光時誤動作防止回路および照明装置を提供することを目的とする。
【０００８】
【課題を解決するための手段】
上記目的を達成するため、本発明に係る調光時誤動作防止回路は、外部の調光器からの出力を制御するスイッチ素子と、一次側に前記スイッチ素子により制御された出力が入力されると、これを変圧して二次側に接続される外部の発光素子に出力すると共に、所定の巻線部から前記スイッチ素子の作動用出力を発生する出力トランスと、を有する前記発光素子の点灯回路内に設けられる調光時誤動作防止回路において、前記調光器の出力値が所定値よりも低いか否かを検出する検出回路と、前記検出回路により前記調光器の出力値が所定値よりも低いことが検出されると、前記作動用出力を制御することにより前記スイッチ素子の動作を制御して、前記出力トランスの出力を停止または低下させる制御回路と、を備えることを特徴としている。
【０００９】
これにより、ちらつきが発生する前に発光素子を消灯させることが可能になり、ユーザーに対し、ちらつきによる不快感を与えることを防止できる。
また、本発明に係る照明装置は、発光素子と、外部の調光器からの出力を前記発光素子を点灯させるための電力に変換して出力する点灯回路とを備える照明装置であって、前記点灯回路は、前記調光器からの出力を制御するスイッチ素子と、入力側に前記スイッチ素子により制御された出力が入力されると、これを変圧して二次側に接続される前記発光素子に出力すると共に、所定の巻線部から前記スイッチ素子の作動用出力を発生する出力トランスと、前記調光器の出力値が所定値よりも低いか否かを検出する検出回路と、前記検出回路により前記調光器の出力値が所定値よりも低いことが検出されると、前記作動用出力を制御することにより前記スイッチ素子の動作を制御して、前記出力トランスの出力を停止または低下させる制御回路と、を備えることを特徴としている。
【００１０】
これにより、ちらつきが発生する前に発光素子を消灯させることが可能になる。
また、前記制御回路は、前記出力トランスからの出力を停止させる場合には、前記スイッチ素子の動作を停止させることを特徴としている。
これにより、発光素子への電力供給が停止されるので、節電につながる。
【００１１】
さらに、前記制御回路は、前記出力トランスからの出力を低下させる場合には、前記発光素子に動作電圧よりも小さい電圧が印加されて前記発光素子が消灯状態になるように、前記スイッチ素子の動作を制御することを特徴としている。
また、前記発光素子が発光ダイオードであることを特徴としている。
本発明に係る照明装置は、発光素子と、外部の調光器からの出力を前記発光素子を点灯させるための電力に変換して出力する点灯回路とを備える照明装置であって、前記点灯回路は、前記調光器の出力値が所定値よりも低いか否かを検出する検出回路と、前記検出回路により前記調光器の出力値が所定値よりも低いことが検出されると、前記発光素子が消灯状態になるまで前記発光素子への出力を低下させる制御回路と、を含むことを特徴とする。
【００１２】
ここで、「前記発光素子への出力を低下」とは、出力の停止を含む概念で用いられる。
これにより、ちらつきが発生する前に発光素子を消灯させることが可能になる。
【００１３】
【発明の実施の形態】
以下、本発明の実施の形態について図面を参照しながら説明する。
図１は、実施の形態に係る照明装置１の構成例を示す斜視図であり、説明の都合上一部を破断して示している。
同図に示すように、照明装置１は、一般の白熱電球に代替するものであって、複数のＬＥＤを備えるＬＥＤユニット２、ＬＥＤユニット２から発せられる光の内の、拡散した光を反射させて前方（同図上方）へ導く反射笠３、ケース４、ケース４内に収容され、ＬＥＤユニット２の各ＬＥＤを点灯させるための点灯回路５（破線）、および口金６を備えている。口金６は、白熱電球等の一般照明電球に用いられるものと同サイズ（同規格）のものである。
【００１４】
ＬＥＤユニット２は、プリント基板上に複数個（ここでは、６４個）のＬＥＤが搭載されたものであり、図２に示すように、３２個のＬＥＤを直列に接続したＬＥＤ列２１、２２が並列接続された回路から構成されている。
点灯回路５は、リード線を介してＬＥＤユニット２と接続されると共に、リード線７１、７２を介して口金６と接続されており、外部の商用交流電源８１（図２）から口金６を介して入力される電力を直流に変換してＬＥＤユニット２に供給する。
【００１５】
図２は、点灯回路５の回路構成を示す図であり、照明装置１が外部の調光器８２を介して商用交流電源８１（ＡＣ１００Ｖ）と接続されている場合を示している。
ここで、調光器８２は、商用交流電源８１の導通角（位相）を位相制御素子（トライアック等）を用いて制御して出力する公知の装置（出力波形は、同図の調光器出力波形図の例を参照）であり、ユーザーにより調光つまみ（不図示）が操作されると、その操作に応じて位相制御素子のオン／オフ時間を変化させ、出力電圧を可変させるものである。
【００１６】
同図に示すように、点灯回路５は、主な構成要素として、整流器５１、コンデンサＣ１、出力トランスＴ、トランジスタＱ１、Ｑ２、ツェナーダイオードＺＤ１、ＩＣ１等を含んでいる。
整流器５１は、商用交流電源８１からの出力を調光器８２を介して入力し、調光器８２からの交流出力を整流する。
【００１７】
コンデンサＣ１は、整流器５１の出力端Ｏ１、Ｏ２間に接続され、整流された電力を平滑する。
出力トランスＴは、入力側となる一次巻線Ｔ１、出力側となる二次巻線Ｔ２、三次巻線Ｔ３を備えている。一次巻線Ｔ１の入力端Ｉ１は、整流器５１の出力端Ｏ１と接続され、一次巻線Ｔ１の入力端Ｉ２は、トランジスタＱ１のコレクタＣと接続されている。二次巻線Ｔ２の出力端Ｏ３、Ｏ４間には、ダイオードＤ２と、並列接続されたＬＥＤ列２１、２２の回路とが直列に接続されている。また、ＬＥＤ列２１、２２と並列にコンデンサＣ３とダイオードＤ３が接続されている。
【００１８】
このダイオードＤ２とコンデンサＣ３は、二次巻線Ｔ２からのほぼ矩形波となる出力電圧を整流、平滑するものであり、ダイオードＤ３は、ＬＥＤ列２１、２２に対する逆電圧保護用として用いられるものである。
三次巻線Ｔ３は、トランジスタＱ１を作動させるための出力（作動用出力）を発生させるものであり、その出力端Ｏ５は、ダイオードＤ１を介してＩＣ１のＳ３端子と接続されており、出力端Ｏ６は、整流器５１の出力端Ｏ２と接続されている。また、Ｏ５、Ｏ６間には、コンデンサＣ２が接続されている。
【００１９】
トランジスタＱ１のエミッタＥは、三次巻線Ｔ３の出力端Ｏ６と接続され、ベースＢは、ＩＣ１のＳ２端子と接続されている。
スイッチ素子としてのトランジスタＱ１は、ＩＣ１の信号出力端子Ｓ２からの信号に基づいてオン（コレクタ、エミッタ間がほぼ導通状態）、オフ（非導通状態）し、出力トランスＴの一次巻線Ｔ１に印加される直流電圧をスイッチングする。
【００２０】
出力トランスＴは、当該スイッチングにより一次側のＴ１に印加された直流電圧を変圧して、二次側のＴ２、三次側のＴ３に巻数比に応じた電圧を出力させる。
また、コンデンサＣ１と出力トランスＴの間には、調光時におけるＬＥＤのちらつきを防止するための調光時誤動作防止回路５４が設けられている。
【００２１】
この調光時誤動作防止回路５４は、調光器８２の出力電圧が所定値よりも低いか否かを検出する検出部５２と、検出部５２の検出結果により、トランスＴの三次巻線Ｔ３から発生する上記作動用出力を制御して、トランジスタＱ１のスイッチング動作を制御する制御部５３を備えている。
具体的には、検出部５２は、抵抗Ｒ１、Ｒ２、ツェナーダイオードＺＤ１を備えている。抵抗Ｒ１、Ｒ２は、直列接続され、直列接続された抵抗Ｒ１、Ｒ２の回路はコンデンサＣ１と並列に接続されている。
【００２２】
ツェナーダイオードＺＤ１のカソード側は、抵抗Ｒ１とＲ２の接続点に接続されており、アノード側は、トランジスタＱ２のベースＢと接続されている。
一方、制御部５３は、ＩＣ１、トランジスタＱ２等を備えており、検出部５２により調光器８２からの出力電圧が所定値よりも低いことが検出された場合には、トランジスタＱ１のスイッチングを停止させてＬＥＤを消灯させ、所定値以上の場合には、スイッチングさせてＬＥＤを点灯させる。
【００２３】
ＩＣ１は、公知のＰＷＭ型スイッチング電源制御用ＩＣであり、Ｓ１は、信号入力端子、Ｓ２は、信号出力端子、Ｓ３は、電源入力端子になっており、Ｓ４は接地用の端子で整流器５１の出力端Ｏ２と接続されている。
ＩＣ１の電源入力端子Ｓ３は、抵抗Ｒ４を介して整流器５１の出力端Ｏ１と接続されており、またダイオードＤ１を介して出力トランスＴの三次巻線Ｔ３の出力端Ｏ５と接続されている。信号入力端子Ｓ１は、トランジスタＱ２のコレクタＣと接続されており、抵抗Ｒ３を介して電源入力端子Ｓ３とも接続されている。また、トランジスタＱ２のエミッタＥは、整流器５１の出力端Ｏ２と接続されている。
【００２４】
このような構成において、点灯回路５は、次のような動作を行う。
（調光が行われていないとき）
まず、照明装置１が商用交流電源８１に接続されると、商用交流電源８１からの電力が調光器８２を介して点灯回路５に供給される。ここで、調光が行われていないとは、調光器８２により導通角制御がされておらず、商用交流電源８１の電力がそのまま供給される（すなわち、調光器８２を介さないで商用交流電源８１と接続された場合と同じ）ことを示している。
【００２５】
点灯回路５では、入力された交流電力が整流器５１により整流され、整流後の直流電圧が抵抗Ｒ４を介してＩＣ１の電源入力端子Ｓ３に印加される。また、同時にコンデンサＣ２への充電が開始される。ここでは、ＩＣ１保護のため抵抗Ｒ４の値が大きくとられており、コンデンサＣ２への充電が完了するとＩＣ１の動作電圧に達してＩＣ１の動作が開始されるようになっている。
【００２６】
また、整流後の直流電圧が抵抗Ｒ１とＲ２の直列回路に印加される。Ｒ１とＲ２の値は、調光されていない場合、Ｒ１とＲ２で分圧された電圧がツェナーダイオードＺＤ１のツェナー電圧以上になるように設定されている。そのため、ここではツェナーダイオードＺＤ１を通してトランジスタＱ２のベースＢに分圧された電圧が印加され、Ｑ２がオン（コレクタ、エミッタ間がほぼ導通状態）になり、ＩＣ１の信号入力端子Ｓ１はほぼ接地された状態になる（トランスＴの三次巻線Ｔ３からの作動用出力の入力が阻止された状態になる。）。
【００２７】
ＩＣ１は、電源入力端子Ｓ３に動作電圧が印加されており、信号入力端子Ｓ１が接地されている（Ｌレベルになっている）場合には、所定の周期、所定のデューティ比（Ｄｔ１）の信号を信号出力端子Ｓ２から出力し、トランジスタＱ２をスイッチング（オン／オフ）させる。これにより、出力トランスＴの一次巻線Ｔ１に、波形がほぼ矩形波となる電圧が印加され、巻数比に応じた電圧が二次巻線Ｔ２、三次巻線Ｔ３から出力される。
【００２８】
二次巻線Ｔ２からの出力は、ほぼ矩形波であるが、ダイオードＤ２、コンデンサＣ３により整流、平滑されるため、ＬＥＤ列２１、２２には、ほぼ一定の直流電圧が供給され、これにより各ＬＥＤは、ちらつくことなく安定して点灯する。
なお、三次巻線Ｔ３からの作動用出力もダイオードＤ１、コンデンサＣ２により整流、平滑されてＩＣ１の電源入力端子Ｓ３に印加され、ＩＣ１の動作電圧の供給源となる。
【００２９】
（調光時）
ユーザーが調光器８２のつまみを用いて調光を行った場合には、調光器８２からの出力電圧が低下する。調光器８２は、明るさが明から暗に調節されるに連れて、位相制御素子のオン時間を短くする（オフ時間を長くする）ため、それに伴い、整流器５１の出力端Ｏ１、Ｏ２間の電圧が低下することになる。
【００３０】
出力電圧が低下し、ある値（以下、「所定値Ｖ１」という。）まで来ると、Ｒ１とＲ２で分圧された電圧がツェナーダイオードＺＤ１のツェナー電圧より低くなる。その場合、ツェナーダイオードＺＤ１がオフ（非導通）になってトランジスタＱ２がオフに転じ、ＩＣ１の信号入力端子Ｓ１には、出力トランスＴの三次巻線Ｔ３からの作動用出力がダイオードＤ１、抵抗Ｒ３を介して印加されることになる（以下、Ｓ１が「Ｈレベルになる。」という。）。この意味で、作動用出力は、出力電圧低下の検出信号をＩＣ１に入力するための制御用信号としても用いられているものであるといえる。
【００３１】
ＩＣ１は、信号入力端子Ｓ１がＨレベルになると、信号出力端子Ｓ２からの信号出力を停止し、トランジスタＱ２のスイッチング動作を停止させる（トランジスタＱ２をオフ状態にさせる。）。これにより、出力トランスＴの一次巻線Ｔ１に電流が流れなくなり、二次巻線Ｔ２の出力がほぼゼロになって各ＬＥＤは消灯する。
【００３２】
ＩＣ１は、信号出力端子Ｓ２からの信号出力の停止状態をラッチする機能を有しており、電源再投入（照明装置１を商用交流電源８１と一旦切り離し再度接続する動作）で出力停止状態を解除する。これにより、一度ラッチ機能が働くと、電源再投入を行わない限り、ラッチ後に調光器８２からの出力電圧が例えば調光の操作により上昇しても、出力停止状態は解除されず、ＬＥＤは消灯したままとなる。
【００３３】
以上説明したように、本実施の形態の点灯回路５（照明装置１）は、調光がなされていない場合には、安定した状態でＬＥＤを点灯させることができ、検出部５２が、調光により調光器８２からの出力電圧が予め設定された値（所定値Ｖ１）よりも低くなったことを検出すると、制御部５３が三次巻線Ｔ３からの作動用出力を制御して、トランジスタＱ１の動作を停止させ、ＬＥＤを強制的に消灯させるようにしている。したがって、例えばＶ１の値を、上記「従来の技術」欄で説明したようなＬＥＤのちらつきが生じ始めると想定される値に予め設定しておけば、ちらつきが発生する前にＬＥＤを消灯させることができる。これにより、ちらつきによる誤動作を防止でき、ユーザーに不快感を与えることを防止できる。また、三次巻線Ｔ３からの作動用出力を、ＩＣ１の信号入力端子Ｓ１への制御信号用と共にＩＣ１の動作電源用に流用しており、これにより回路構成を簡単にすることができる。
【００３４】
さらに、電源再投入までＬＥＤを点灯させない（消灯状態を維持させる）ことにより、ユーザーに対し当該照明装置が調光システムには不向きであることを伝えることにもなる。
なお、上記Ｖ１の値は、抵抗Ｒ１、Ｒ２の分圧比の調整により任意に設定することができ、ちらつきが生じる前にＬＥＤが消灯されるように実験等から最適な値が設定される。
【００３５】
（変形例）
以上、本発明を実施の形態に基づいて説明してきたが、本発明は、上述の実施の形態に限定されないのは勿論であり、以下のような変形例が考えられる。
（１）上記実施の形態では、調光により調光器８２からの出力がＶ１まで低下すると、ＩＣ１の信号出力端子Ｓ２からの信号出力を停止し、出力トランスＴの出力を完全に停止させることによりＬＥＤを消灯させるとしたが、例えば各ＬＥＤに、人の目で見てＬＥＤがほぼ消灯状態になっていると感じられる程度の微弱な電圧（例えば、約０．１ボルト等）が印加されるように（換言すれば、視覚的に点灯していると感じることができる程度の電圧を動作電圧としたとき、当該動作電圧よりも小さい電圧が印加されてほぼ消灯状態になるように）、デューティ比を上記Ｄｔ１よりも小さくした信号を出力して、トランジスタＱ１をスイッチング動作させる（ＬＥＤを消灯させる）構成とすることも可能である。
【００３６】
（２）上記実施の形態では、ＩＣ１が、信号出力端子Ｓ２からの信号出力の停止状態をラッチする機能を有しており、一度ＬＥＤを消灯させると、電源再投入まで、その消灯状態を維持させるとしたが、例えば、ラッチ機能をなくし、調光器８２からの出力電圧がユーザーの調光操作により上昇し、上記所定値Ｖ１以上になると、再度デューティ比Ｄｔ１の信号を出力して、トランジスタＱ１をスイッチングさせＬＥＤを点灯させる構成とすることもできる。
【００３７】
また、トランジスタＱ１の作動用出力を、出力トランスＴの三次巻線Ｔ３から発生させるとしたが、例えば他の巻線部、一次巻線等を作動用出力発生のための所定の巻線部として用いる構成としても良い。
（３）上記実施の形態では、スイッチング素子としてトランジスタＱ１を用いたが、例えばＦＥＴ、ＭＯＳ  ＦＥＴ等を用いることもできる。同様に、トランジスタＱ２に代えて、ＦＥＴ等を用いても良い。
【００３８】
また、例えば検出部５２を整流器５１の出力側に配置したが、例えば調光器８２と整流器５１の間に挿入する構成とすることもできる。さらに、制御部５３に、デジタル回路としてのＩＣ１を用いる構成としたが、上記同様の動作を実行できる回路であれば、例えばＲ．Ｃ．Ｃ（リンキングチョークコンバータ）回路等のようなアナログ回路を用いても良い。
【００３９】
（４）上記実施の形態では、出力トランスＴの一次巻線Ｔ１に印加される電圧をトランジスタＱ１でスイッチングして二次巻線Ｔ２にＬＥＤ点灯のための電力を得る構成としたが、外部商用電源（交流）を、整流、平滑等によりＬＥＤ点灯のための直流電圧に変換する構成であれば、上記の構成に限定されることはない。例えば、調光器８２からの出力をトランスにより変圧し、変圧した交流出力を整流、平滑してＬＥＤ列に供給する構成が考えられる。この場合には、調光器８２とトランスの間に、またはトランスとＬＥＤ列の間に、上記検出部５２、制御部５３に相当する回路を挿入すると共に、トランジスタ、リレー等のスイッチ手段を介在させ、調光器８２の出力電圧が所定値よりも低下すると、スイッチ手段のスイッチを開放して回路を遮断し、ＬＥＤへの出力を停止させる構成にすれば実現できる。
【００４０】
また、出力トランスを用いる構成でなくても、整流、平滑した直流電圧を抵抗等で降圧してＬＥＤ列に供給する簡易な回路構成とすることもできる。さらに、定電流回路を介してＬＥＤ列に供給する構成とすれば、ＬＥＤをより安定した状態で発光させることができる。
（５）上記実施の形態では、発光素子としてＬＥＤを用いた場合の照明装置の例を説明したが、発光素子はＬＥＤに限られず、例えばレーザダイオード、ＥＬ等を用いる場合にも適用できる。具体的には、レーザダイオード等の発光素子と、これを点灯させる点灯回路とを備える照明装置に、上記調光時誤動作防止回路５４と同様の動作を行う回路を付加する構成とすれば良い。
【００４１】
【発明の効果】
以上説明したように、本発明は、外部の調光器からの出力を制御するスイッチ素子と、一次側に前記スイッチ素子により制御された出力が入力されると、これを変圧して二次側に接続される外部の発光素子に出力すると共に、所定の巻線部から前記スイッチ素子の作動用出力を発生する出力トランスと、を有する前記発光素子の点灯回路内に設けられる調光時誤動作防止回路において、前記調光器の出力値が所定値よりも低いか否かを検出する検出回路と、前記検出回路により前記調光器の出力値が所定値よりも低いことが検出されると、前記作動用出力を制御することにより前記スイッチ素子の動作を制御して、前記出力トランスの出力を停止または低下させる制御回路と、を備えることを特徴としている。これにより、ちらつきが発生する前に発光素子を消灯させることが可能になり、ちらつきによる誤動作を防止できる。
【図面の簡単な説明】
【図１】照明装置の構成例を示す斜視図である。
【図２】上記照明装置に備えられる点灯回路の回路構成を示す図である。
【符号の説明】
１      照明装置
２      ＬＥＤユニット
５      点灯回路
２１、２２      ＬＥＤ列
５１      整流器
５２      検出部
５３      制御部
５４      調光時誤動作防止回路
８１      商用交流電源
８２      調光器
Ｑ１、Ｑ２      トランジスタ
ＩＣ１      制御用ＩＣ
ＺＤ１      ツェナーダイオード
Ｃ１、Ｃ２、Ｃ３      平滑用コンデンサ
【図１】
2005011739.tif 000003
【図２】
2005011739.tif 000004